(57)【要約】【課題】室外に設置され外気温が低い状態で使用しても、排気管が腐食されることがないガスファーネス式外気加熱装置を提供する。【解決手段】本ガスファーネス式外気加熱装置は、室外に設置され換気用空気を加熱して室内に供給するガスファーネス式外気加熱装置において、ガスバーナユニットに連設された燃焼ユニットから排出される排ガスを装置本体外に排出する排気管を有し、この排気管は装置本体内の加熱された換気用空気が通過する流路の側面に近接して配置され、かつ換気用空気に直接当たらないように排気管遮風体により遮風される。【選択図】  図２
2005188827.tif 000002
【特許請求の範囲】
【請求項１】
室外に設置され換気用空気を加熱して室内に供給するガスファーネス式外気加熱装置において、ガスバーナユニットに連設された燃焼ユニットから排出される排ガスを装置本体外に排出する排気管を有し、この排気管は装置本体内の加熱された換気用空気が通過する流路の側面に近接して配置され、かつ換気用空気に直接当たらないように排気管遮風体により遮風されることを特徴とするガスファーネス式外気加熱装置。
【請求項２】
請求項１に記載のガスファーネス式外気加熱装置において、前記ガスバーナユニットで燃焼した排ガスが集められる排気ヘッダーは、換気用空気に直接当たらないようにヘッダー遮風体によりその一部あるいは全部が遮風されることを特徴とするガスファーネス式外気加熱装置。
【請求項３】
請求項１または２に記載のガスファーネス式外気加熱装置において、前記装置本体内に換気用空気を遮るため区画された部品室が設けられ、この部品室には、ガス流量をコントロールするダイヤフラム式比例弁を有するガスバルブユニット、バーナに空気を送る送風機が収容されることを特徴とするガスファーネス式外気加熱装置。
【発明の詳細な説明】
【技術分野】
【０００１】
本発明はガスファーネス式外気加熱装置に係わり、特に屋外に設置するのに適するガスファーネス式外気加熱装置に関する。
【背景技術】
【０００２】
一般にガスファーネス暖房機の場合、通常屋内で使用することを前提として設計されているため、屋外設置に対する対応が考慮されていない。
【０００３】
このガスファーネス暖房機を屋外で使用する場合、低外気温での連続運転となることが多く、燃焼ガスと低温の換気用空気の熱交換量が増加して、燃焼ガスの熱量が奪われ、排ガス温度が低下し、さらに、排ガスが流れる排気管が換気用空気と触れて冷却されるため、排ガスが露点以下になり結露し、燃焼ガス中の硫黄分と結露水によりステンレス等の排気管が腐食する問題がある。
【０００４】
なお、室内用温風暖房機として特許文献１に示すものがあるが、室外に設置するのには適さない。
【特許文献１】実公平３−２８２６２号公報
【発明の開示】
【発明が解決しようとする課題】
【０００５】
本発明は上述した事情を考慮してなされたもので、室外に設置され外気温が低い状態で使用しても、排気管が腐食されることがないガスファーネス式外気加熱装置を提供することを目的とする。
【課題を解決するための手段】
【０００６】
上記目的を達成するため、本発明の１つの態様によれば、室外に設置され換気用空気を加熱して室内に供給するガスファーネス式外気加熱装置において、ガスバーナユニットに連設された燃焼ユニットから排出される排ガスを装置本体外に排出する排気管を有し、この排気管は装置本体内の加熱された換気用空気が通過する流路の側面に近接して配置され、かつ換気用空気に直接当たらないように排気管遮風体により遮風されることを特徴とするガスファーネス式外気加熱装置が提供される。
【発明の効果】
【０００７】
本発明に係わるガスファーネス式外気加熱装置によれば、室外に設置され外気温が低い状態で使用しても、排気管が腐食されることがないガスファーネス式外気加熱装置を提供することができる。
【発明を実施するための最良の形態】
【０００８】
以下、本発明に係わるガスファーネス式外気加熱装置の一実施形態について添付図面を参照して説明する。
【０００９】
図１、図２および図３は本発明に係るガスファーネス式外気加熱装置の設置状態を示す概念図であり、図４は本発明に係るガスファーネス式外気加熱装置斜視図、図５はその縦断面図であり、図６はそのスケルトン図である。
【００１０】
図１〜図３に示すように、本発明に係るガスファーネス式外気加熱装置１は、室外に設置され、換気ダクト２１および換気用ファン２２を介して、加熱空気を室内に供給するようになっている。
【００１１】
図４〜図６に示すように、外気加熱装置１は、装置本体２と、この装置本体２に収容された燃料ガスを燃焼させるガスバーナユニット３と、このガスバーナユニット３に連設された燃焼ユニット４と、この燃焼ユニット４に一端が開口し他端が排気ヘッダー５の開口する複数本の熱交換パイプ６ａからなる熱交換器６を有している。
【００１２】
また、装置本体２の底面には換気用空気の吸込口７が設けられており、上面にはその中央部の加熱された空気の吹出口８が設けられ、側部には燃ガスを装置本体２外に排気する排気管口９が設けられている。
【００１３】
上記排気ヘッダー５は換気用空気に直接当たらないように例えば、金属板からなるヘッダー遮風体１０によりその一部あるいは全部が遮風されている。
【００１４】
さらに、装置本体２には、排気ヘッダー５と排気パイプ９ｐが接続される排気管口９を連通し屈曲した排気管１１が設けられている。この排気管１１は、例えばステンレス製であり、換気用空気が通過する流路の側面、すなわち装置本体２に設けられた隔壁１２に近接して配置されており、さらに、排気管１１はこれに沿って形成された例えば金属製箱状の排気管遮風体１２によって覆われており、装置本体２内を流れる換気用空気との接触を遮るようになっている。
【００１５】
また、装置本体２には、隔壁によって区画された部品室１３が設けられ、この部品室１３には、ガス流量をコントロールするダイヤフラム式比例弁を有するガスバルブユニットからなるガスバルブユニット１４、バーナに空気を送る送風機１５、制御器ユニット１６ａおよび配線接続部１６ｂからなる電気部品類１６などが収容されている。これにより、ガス比例弁はダイヤフラム式のため換気用空気の影響で比例弁部の圧力が変化すると流量が変化してしまうことが防止防止される。燃焼用空気の取入口部（図示せず）が部品室１３に設けられることで燃焼用空気も換気用空気の影響を受けることのないようにできる。
【００１６】
次に本実施形態のガスファーネス式外気加熱装置の動作について説明する。
【００１７】
図５中実線矢印で示すように、送風機１５を介して送られてきた燃焼用空気及びガスバルブユニット１４を介して送られてきた燃料ガスは、ガスバーナユニットで混合され燃焼されて、ガスバーナユニット１４、燃焼ユニット４で燃焼し、燃焼ユニット４に一端が開口された熱交換器６の熱交換パイプ６ａ内を通り、開口された他端から排気ヘッダー５に集められ、さらに、排気管１１を通って排気管口９から装置本体２外に排気される。
【００１８】
一方、換気用ファン３の回転により、換気ダクト２を介して装置本体内が負圧になるため、低温の換気用空気が吸込口７を介して装置本体内に吸い込まれる。図１中点線矢印で示すように、吸込口７から装置本体内に吸い込まれた換気用空気は、加熱された排ガスが内部を流れる空気熱交換器６の熱交換パイプ６ａと熱交換して、加熱され、吹出口８、換気ダクト２を介して室内に送られる。
【００１９】
このような換気用空気の加熱過程において、排気管１１は換気用空気が通過する流路の壁面に近接して配置され、かつ換気用空気に直接当たらないように排気管遮風体１２により遮風されているので、排気管１１内を流れる排ガスは低温の換気用空気によって熱を奪われることがなく、燃焼ガス（排ガス）が熱交換器６によって熱交換されて、その温度が低下しても、排ガスが露点以下にならず結露がない。また、排気ヘッダー５の一部あるいは全部がヘッダー遮風体１０により遮風されているので、排ガスが換気用空気によって冷却されることがない。従って、燃焼ガス中の硫黄分と結露水によりステンレス等の排気管１１が腐食する問題は生じない。
【００２０】
上記のように本実施形態のガスファーネス式外気加熱装置によれば、室外に設置され外気温が低い状態で使用しても、排気管が腐食されることがないガスファーネス式外気加熱装置が実現される。
【図面の簡単な説明】
【００２１】
【図１】本発明に係わるガスファーネス式外気加熱装置の使用状態を示す概念図。
【図２】本発明に係わるガスファーネス式外気加熱装置の使用状態を示す概念図。
【図３】本発明に係わるガスファーネス式外気加熱装置の使用状態を示す概念図。
【図４】本発明に係わるガスファーネス式外気加熱装置の斜視図。
【図５】本発明に係わるガスファーネス式外気加熱装置の縦断面図。
【図６】本発明に係わるガスファーネス式外気加熱装置の装置本体を除去して示すスケルトン図。
【符号の説明】
【００２２】
１…ガスファーネス式外気加熱装置、２…装置本体、３…ガスバーナユニット、４…燃焼ユニット、５…排気ヘッダー、６…熱交換器、７…吸込口、８…吹出口、９…排気管口、１０…ヘッダー遮風体、１１…排気管、１２…排気管遮風体、１３…部品室、１４…ガスバルブユニット、１５…送風機、１６…電気部品類。
【図１】
2005188827.tif 000003
【図２】
2005188827.tif 000004
【図３】
2005188827.tif 000005
【図４】
2005188827.tif 000006
【図５】
2005188827.tif 000007
【図６】
2005188827.tif 000008